(57)【要約】【課題】釣糸を簡単に引き出すことができるカバー付きの釣糸用スプールを提供することを課題とする。【解決手段】スプール本体１１とカバー２１とを備え、カバー２１はスプール本体１１の外周に沿って回動可能に取り付けられる。カバー２１は、無端筒状の外筒部２２と、外筒部２２の一端ａに設けられたフランジカバー部２５と、他端ｂに設けられた係合部とを備える。外筒部２２には、釣糸を引き出すための開口部２４と、引き出した釣糸を係止するための釣糸止め部３１とを備える。【選択図】図１
2015065906.tif 000002
【特許請求の範囲】
【請求項１】
スプール本体と、前記スプール本体に回動可能に取り付けられるカバーとを備え、
前記スプール本体は、釣糸が巻回される巻回軸と、前記巻回軸の両端から外方向に張り出したフランジとを備え、
前記カバーは、前記フランジの径方向の外側に配置される無端筒状の外筒部と、前記外筒部を前記スプールに取り付ける係合部とを備え、
前記外筒部は、前記釣糸を内周側から外周側に引き出すための開口部を備え、
前記開口部から引き出された前記釣糸を引っ張ることによって、前記スプール本体と前記カバーとが相対的に回転することにより、前記釣糸が引っ張り出されることを特徴とする釣糸用スプール。
【請求項２】
前記外筒部は、前記開口部から引き出された釣糸の釣糸端を係止する釣糸止め部を備えたものであることを特徴とする請求項１記載の釣糸用スプール。
【請求項３】
前記カバーは、前記外筒部の軸方向の一方の端部から、径内方向に張り出したフランジカバー部を備え、
前記フランジカバー部は前記スプール本体のフランジの軸方向の外側に配置されたものであることを特徴とする請求項１又は２記載の釣糸用スプール。
【請求項４】
前記係合部は、前記外筒部の軸方向の他方の端部から、径内方向に突出する突起であり、前記フランジの外側に係合することを特徴とする請求項３記載の釣糸用スプール。
【請求項５】
前記係合部は、前記外筒部の軸方向の一方の端部と他方の端部との双方の端部から、径内方向に突出する突起であり、
前記一方の端部の前記突起と、前記と他方の端部の前記突起とが、周方向において異なる位置に設けられたことを特徴とする請求項１又は２記載の釣糸用スプール。
【請求項６】
前記スプール本体は、複数の前記スプール本体同士を回動可能に軸方向に連結する連結部を備え、
複数の前記スプール本体同士が回動可能に連結された状態で、前記スプール本体と前記カバーとが回動可能であることを特徴とする請求項５記載の釣糸用スプール。
【請求項７】
前記連結部は、前記スプール本体の軸方向の一方の端部から突出する雄連結部と、前記スプール本体の軸方向の他方の端部に設けられて前記雄連結部を回動可能に受容する雌連結部とを備えたものであることを特徴とする請求項６記載の釣糸用スプール。
【請求項８】
前記雄連結部の軸方向の長さは、前記カバーが前記フランジから軸方向に突出する長さよりも長いことを特徴とする請求項７記載の釣糸用スプール。
【請求項９】
前記釣糸止め部は、基部と、前記基部よりも大きな頭部とを備え、前記基部が前記外周部に一体的に設けられたものであることを特徴とする請求項２記載の釣糸用スプール。
【発明の詳細な説明】
【技術分野】
【０００１】
本発明は、釣糸用スプールに関するものである。
【背景技術】
【０００２】
従来、特許文献１や２に示すように、釣糸用スプールのスプール本体の外側に、カバーを設けたものが知られている。
【０００３】
ところが、このカバーは、一見略環状ではあるが、切り目がある略Ｃ字状をなしている。そして、カバーを弾性変形させて、この切り目から拡開させて、スプール本体に回動可能に装着する。装着状態では、カバーは、スプール本体の両端のフランジとフランジとの間に入り込むように配置される。このカバーには、釣糸の引出し部が設けられており、釣糸をこの引出し部から引っ張り出すように構成されている。
【０００４】
ところが、釣糸を引き出すのには、人が手で持っておく必要があり、しかも、スプール本体が回転できるように手でもっている必要があり熟練を要する。逆に熟練者にあっては、速く釣糸を引き出すことはできるが、あまりに高速に引き出すと、釣糸の引っ張りにカバーの回転がついてくることができなくなり、カバーがスプール本体から外れてしまう。
【先行技術文献】
【特許文献】
【０００５】
【特許文献１】特許３４０１１８０号公報
【特許文献２】特開２００２−１５３１８７号公報
【発明の概要】
【発明が解決しようとする課題】
【０００６】
本発明は、熟練者ではなくても、釣糸を簡単に引き出すことができるカバー付きの釣糸用スプールを提供することを課題とする。
本発明は、カバーから引き出した釣糸の端を容易に係止することができるカバーを備えた釣糸用スプールを提供することにある。
本発明の他の課題は、合成樹脂の成型が容易で、しかも、スプール本体に確実に取り付けることができるカバーを備えた釣糸用スプールを提供することにある。
【０００７】
本発明のさらに他の課題は、スプール本体同士を連結した場合にも、それぞれのスプール本体において、カバー良好な働きを実現することができる釣糸用スプールを提供することにある。
【課題を解決するための手段】
【０００８】
本発明は、スプール本体と、前記スプール本体に回動可能に取り付けられるカバーとを備え、前記スプール本体は、釣糸が巻回される巻回軸と、前記巻回軸の両端から外方向に張り出したフランジとを備える釣糸用スプールに関するものである。前記カバーは、前記フランジの径方向の外側に配置される無端筒状の外筒部と、前記外筒部を前記スプールに取り付ける係合部とを備える。前記外筒部は、前記釣糸を内周側から外周側に引き出すための開口部を備える。そして、前記カバー又は前記スプール本体を手で持って、前記開口部から引き出された前記釣糸を引っ張ることによって、前記スプール本体と前記カバーとが相対的に回転することにより、前記釣糸が引っ張り出されることを特徴とする釣糸用スプールを提供する。
前記外筒部は、前記開口部から引き出された釣糸の釣糸端を係止する釣糸止め部を備えたものであってもよい。
【０００９】
前記カバーは、前記外筒部の軸方向の一方の端部から、径内方向に張り出したフランジカバー部を備え、前記フランジカバー部は前記スプール本体のフランジの軸方向の外側に配置されたものであってもよい。
前記係合部は、前記外筒部の軸方向の他方の端部から、径内方向に突出する突起として実施することができる。
【００１０】
前記係合部は、前記外筒部の軸方向の一方の端部と他方の端部との双方の端部から、径内方向に突出する突起であり、前記一方の端部の前記突起と、前記と他方の端部の前記突起とが、周方向において異なる位置に設けられたものとすることができる。
【００１１】
前記スプール本体は、複数の前記スプール本体同士を回動可能に軸方向に連結する連結部を備え、複数の前記スプール本体同士が回動可能に連結された状態で、前記スプール本体と前記カバーとが回動可能であるものとすることができる。
【００１２】
前記連結部は、前記スプール本体の軸方向の一方の端部から突出する雄連結部と、前記スプール本体の軸方向の他方の端部に設けられて前記雄連結部を回動可能に受容する雌連結部とを備えたものとすることもできる。
【００１３】
前記雄連結部の軸方向の長さは、前記雌連結部よりも前記カバーが前記フランジから軸方向に突出する長さよりも長いことが、回転の円滑性を維持する点で望ましい。
前記釣糸止め部は、基部と、前記基部よりも大きな頭部とを備え、前記基部が前記外周部に一体的に設けられたものとすることができる。
【発明の効果】
【００１４】
本発明の釣糸用スプールは、前記カバーは、前記フランジの径方向の外側に配置される無端筒状の外筒部と、前記外筒部を前記スプールに取り付ける係合部とを備え、前記外筒部は、前記釣糸を内周側から外周側に引き出すための開口部を備えるものであるため、前記カバーを手で持って、前記開口部から引き出された前記釣糸を引っ張ることによって、前記スプール本体と前記カバーとが相対的に回転する。これにより、熟練者ではなくても、カバーを手で持った状態で釣糸を引くだけで、簡単に釣糸を引き出すことができる。
【００１５】
前記カバーには、釣糸止め部が設けられており、さらに望ましくは前記釣糸止め部が、基部と、前記基部よりも大きな頭部とを備え、前記基部が前記外周部に一体的に設けられたものとすることにより、カバーから引き出した釣糸の端を容易に係止することができる。
【００１６】
前記カバーは前記係合部によって、スプール本体に取り付けることができる。その際、係合部を、前記外筒部の軸方向の他方の端部から、径内方向に突出する突起として、前記フランジの外側に係合するようにすることで、取り付けることができる。スプール本体に確実に取り付けることができる。
【００１７】
しかも、前記カバーは、前記外筒部の軸方向の一方の端部から、径内方向に張り出したフランジカバー部を備え、前記フランジカバー部は前記スプール本体のフランジの軸方向の外側に配置され、前記係合部は、前記外筒部の軸方向の他方の端部から、径内方向に突出する突起であり、前記フランジの外側に係合することによって、一つの金型で、容易に成型することができ、且つ、型抜きを容易に行なうことができる。
【００１８】
また、前記係合部は、前記外筒部の軸方向の一方の端部と他方の端部との双方の端部から、径内方向に突出する突起であり、前記一方の端部の前記突起と、前記と他方の端部の前記突起とが、周方向において異なる位置に設けられたことによって、一つの金型で、容易に成型することができ、且つ、型抜きを容易に行なうことができる。
【００１９】
また、スプール本体を連結する連結部を設け、カバーとの関係を適正に構成することによって、スプール本体同士を連結した場合にも、それぞれのスプール本体において、カバー良好な働きを実現することができる
【図面の簡単な説明】
【００２０】
【図１】本発明の第１の実施の形態に係る釣糸用スプールを示すもので、（Ａ）は分解状態の斜視図、（Ｂ）は組付け状態の斜視図である。
【図２】（Ａ）は第１の実施の形態に係る釣糸用スプールの断面図、（Ｂ）は第２の実施の形態に係る釣糸用スプールの断面図である。
【図３】本発明の第３の実施の形態に係る釣糸用スプールを示すもので、（Ａ）は分解状態の斜視図、（Ｂ）は組付け状態の斜視図である。
【図４】（Ａ）は本発明の第３の実施の形態に係る釣糸用スプールの断面図、（Ｂ）は連結した状態の断面図である。
【発明を実施するための形態】
【００２１】
以下、図面に基づき本願発明の実施の形態を説明する。
【００２２】
第１の実施の形態に係る釣糸用スプールは、スプール本体１１とカバー２１とを備え、カバー２１はスプール本体１１の外周に沿って回動可能に取り付けられる。
【００２３】
（スプール本体１１について）スプール本体１１は、従来周知のものでよく、具体的には、釣糸ｓが巻回される巻回軸１２と、巻回軸１２の軸方向の両端から外方向に張り出した一対のフランジ１３とを備える。なお、実施の形態において、図１の上側を一端ａとし、下側を他端ｂとして説明するが、これらの位置関係は絶対的な位置を示すものではない。フランジ１３の形状は外周が真円形のものとして実施されている。釣糸ｓは製造時に機械的に巻回軸１２に巻回されるもので、スプール本体１１の中心には、この巻回のための軸を通すための軸筒１７が形成されており、軸筒１７と巻回軸１２とはスポーク１８で接続されている。
【００２４】
（カバー２１について）カバー２１は、合成樹脂製の一体成型品であり、無端筒状の外筒部２２と、外筒部２２の一端ａに設けられたフランジカバー部２５と、他端ｂに設けられた係合部２３（図２（Ａ）参照）とを備える。カバー２１は、スプール本体１１の外周に沿って回動自在である。具体的には、外筒部２２は、フランジ１３の外径と略同じ内径を有する真円筒状をなすもので、フランジ１３の外周端に沿って回動する。なお、外筒部２２とフランジ１３との間には回転のために必要なクリアランスを設けて実施すればよい。
【００２５】
外筒部２２には、釣糸ｓを内部のスプール本体１１の巻回軸１２から外筒部２２の外周側に引き出すための開口部２４を備える。この開口部２４は１つ設ければよいが、複数設けることも可能である。この例では、開口部２４は、外筒部２２の他端ｂから一端ａに向けて形成した切込としているが、外筒部２２に孔を開けたものでもよい。
【００２６】
釣糸ｓの引出し際しては、カバー２１を手で持って、開口部２４から引き出された釣糸ｓを引っ張ればよい。これによって、スプール本体１１がカバー２１に対して回転しながら釣糸ｓが引っ張り出される。釣糸ｓを引っ張る際には、カバー２１を持って引っ張ればよいが、熟練者であれば従来通りスプール本体１１をもって釣糸ｓを引くこともできる。いずれの場合にも、スプール本体１１とカバー２１とが相対的に回転するため、円滑な釣糸ｓの引っ張り出しが実現する。釣糸ｓを出しすぎた場合には、スプール本体１１を逆方向に回して、釣糸ｓを引き込むことも可能である。
【００２７】
この回転に際して、外筒部２２は無端状の環状筒体であるため、高速で釣糸ｓを引き出しても、スプール本体１１とカバー２１とが外れてしまうことがない。しかも、カバー２１の一端ａにはフランジカバー部２５を備えており、フランジ１３がフランジカバー部２５に沿った状態となっているため、より安定した回転が可能である。また、外筒部２２の他端ｂには、係合部２３が設けられているため、スプール本体１１が軸方向にカバー２１から外れてしまうことも防止される。この係合部２３は、他端ｂのフランジ１３の端面と係止される。但し、係合部２３とフランジカバー部２５とで、スプール本体１１を強く挟み付けると、スプール本体１１の回転が阻害されるため、スプール本体１１の回転が可能な程度のクリアランスを持って、係合部２３とフランジカバー部２５とでスプール本体１１を軸方向に保持するものとする。この例では、係合部２３は、フランジ１３の他端ｂの端面に沿って１周するように、連続して設けられているが、断続的に設けることも可能である。また、係合部２３の半径方向への突出長さは、スプール本体１１の脱落を抑制できることを条件に適宜変更して実施することができるが、あまりに長く半径方向の内側へ突出させると、スプール本体１１とカバー２１との組付けが困難になると共に、一つの金型でカバー２１を成型するに際して、成型品の型抜きが困難になる。
【００２８】
（釣糸止め部３１について）この実施の形態では、開口部２４から引き出した釣糸ｓが、再度外筒部２２の内側に入ってしまわないように、釣糸ｓを係止するための釣糸止め部３１が設けられている。釣糸止め部３１は、外筒部２２の外側に設けられており、図２（Ａ）に示すように、外筒部２２から突出する基部３２と、基部３２の先端に設けられた頭部３３とを備える。頭部３３は基部３２よりも大きく、基部３２に巻き付けられた釣糸ｓが抜けてしまうことを防止している。釣糸ｓを基部３２に円滑に導くためには、頭部３３の内面側を、斜面とすることが望ましい。より詳しくは、頭部３３の内面側を、基部３２から遠ざかるに従って外筒部２２の外周面から遠ざかるように傾斜した斜面とすることが望ましい。この釣糸止め部３１は開口部２４の近くに設ければよいが、その位置は特に限定されるものではない。
なお、釣糸止め部３１の代わりに、外筒部２２の一部に切込を設けて、その切込に釣糸ｓを係止するなど、釣糸止め部３１は種々変更して実施することができる。
【００２９】
（第２の実施の形態）図２（Ｂ）は第２の実施の形態を示すものである。先の実施の形態では、フランジカバー部２５を、スプール本体１１全体の端面を被うものとしていたが、この例では、フランジカバー部２５をフランジ１３の全部又は一部を被うものとして実施しているものである。
【００３０】
（第３の実施の形態）図３は、第３の実施の形態を示すものである。先の２つの実施の形態では、フランジカバー部２５を設けたものであったが、この例では、フランジカバー部２５を設けずに実施するものである。フランジカバー部２５の代わりに、外筒部２２の一端ａと他端ｂとの両端面に、係合部２３を断続的に設けたものである。その際、一端ａと他端ｂとの係合部２３は、互いに周方向において同じ位置に設けることも可能であるが、異なる位置に設けることが、金型による成型時の型抜きの点から有利である。係合部２３は、両フランジ１３の内側の面に沿うように配置することもできるが、釣糸ｓとの干渉が生じるおそれがあるため、両フランジ１３の外側の面に沿うように配置する方が有利である。
【００３１】
この実施の形態に係るスプール本体１１は、複数スプール本体１１同士を回動可能に軸方向に連結することができるようになっている。具体的には、雄連結部１５と雌連結部１６との連結部を備える。雄連結部１５は、一端ａの端面から軸方向に突出する筒状をなす部位である。雌連結部１６は、他端ｂの端面に軸方向に凹まされることによって、雄連結部１５を回動可能に受容するものである。雄連結部１５と雌連結部１６とは、軸方向の位置決めをなすために、外周方向に突出する突条と、これを受容する凹溝を設けて実施することが望ましい。雄連結部１５の軸方向の長さは、カバー２１カバーがフランジ１３から軸方向に突出する長さよりも長く設定して、連結した際に、隣り合うカバー２１同士が干渉しないようにしておくことが望ましい。但し、隣り合うカバー２１同士が互いに接触したり、さらには互いに回動不能に接続させたりした状態で実施することもできる。なお、釣糸止め部３１を外筒部２２の外周から突出させて設けておくことによって、カバー２１を回したい時に、釣糸止め部３１が指掛かりとなるため、簡単に回すことができる。特に、３個以上を連結した場合には、中間のカバー２１が回しにくくなるが、釣糸止め部３１を突設することで容易に回すことができるようになる。
【００３２】
その他、本発明は発明の趣旨を逸脱しない範囲で種々変更して実施することができる。例えば、素材は合成樹脂の他、金属であってもよい。カバーの形状や大きさは、スプールの構造や大きさに応じて種々変更して実施することができる。
【符号の説明】
【００３３】
ｓ  釣糸
１１  スプール本体
１２  巻回軸
１３  フランジ
１５  雄連結部
１６  雌連結部
２１  カバー
２２  外筒部
２３  係合部
２４  開口部
２５  フランジカバー部
３１  釣糸止め部
３２  基部
３３  頭部
【図１】
2015065906.tif 000003
【図２】
2015065906.tif 000004
【図３】
2015065906.tif 000005
【図４】
2015065906.tif 000006